(57)【要約】【課題】フックにより遮蔽物を固定すると穿孔箇所が破損してしまう従来技術の問題点を改善する可動式遮蔽延伸装置を提供する。【解決手段】可動式遮蔽延伸装置１００は、第１の遮蔽ユニット１０、第２の遮蔽ユニット２０及び駆動ユニットを備える。第１の遮蔽ユニット１０は、位置決め手段１３を介して建物の壁面上に固定された１個又は複数個の位置決めフレーム１１Ａ，１１Ｂと、位置決めフレーム１１Ａ，１１Ｂ上に設けた１個又は複数個の第１の遮蔽板１２とを有する。第２の遮蔽ユニット２０は、１個又は複数個のアーム２１Ａ，２１Ｂと、アーム２１Ａ，２１Ｂ上に設けた１個又は複数個の第２の遮蔽板２２とを有する。アーム２１Ａ，２１Ｂは、可動部を介して位置決めフレーム１１Ａ，１１Ｂの一側に結合される。アーム２１Ａ，２１Ｂの上側には、支持ブラケット平面が設けられる。第２の遮蔽板２２は、接着剤により支持ブラケット平面上に結合される。【選択図】図１
0003209941.tif 000002
【実用新案登録請求の範囲】
【請求項１】
第１の遮蔽ユニット、第２の遮蔽ユニット及び駆動ユニットを備えた可動式遮蔽延伸装置であって、
前記第１の遮蔽ユニットは、位置決め手段を介して建物の壁面上に固定された１個又は複数個の位置決めフレームと、前記位置決めフレーム上に設けた１個又は複数個の第１の遮蔽板と、を有し、
前記第２の遮蔽ユニットは、１個又は複数個のアームと、前記アーム上に設けた１個又は複数個の第２の遮蔽板と、を有し、前記アームは、可動部を介して前記位置決めフレームの一側に結合され、前記アームの上側には、支持ブラケット平面が設けられ、前記第２の遮蔽板は、接着剤により前記支持ブラケット平面上に結合され、前記アームにより前記第２の遮蔽板の底側を支え、
前記駆動ユニットは、前記第１の遮蔽ユニット又は前記第２の遮蔽ユニット上に設けられ、前記第１の遮蔽ユニットに対して前記第２の遮蔽ユニットを往復移動させることを特徴とする可動式遮蔽延伸装置。
【請求項２】
前記位置決め手段は、ヒンジユニット及び牽引ユニットを有し、
前記ヒンジユニットは、前記建物の壁面と前記位置決めフレームとの間の夾角にそれぞれと結合され、
前記牽引ユニットは、斜めに設置されるとともに、前記建物の壁面と、前記位置決めフレームの前記建物の壁面から遠い一側とに両端がそれぞれ結合されることを特徴とする請求項１に記載の可動式遮蔽延伸装置。
【請求項３】
前記ヒンジユニットは、位置決め部材と、前記位置決め部材に枢着された可動ブロックと、を有し、
前記位置決め部材は、前記建物の壁面上に結合され、
前記可動ブロックは、前記位置決めフレーム上に結合され、前記建物の壁面に対して前記位置決めフレームを枢転させることを特徴とする請求項２に記載の可動式遮蔽延伸装置。
【請求項４】
前記牽引ユニットは、支持杆と、前記支持杆の一端に結合されて前記建物の壁面上に固定された第１の可動ヒンジと、前記支持杆の他端に結合されるとともに、前記位置決めフレーム上に固定された第２の可動ヒンジと、を有することを特徴とする請求項２に記載の可動式遮蔽延伸装置。
【請求項５】
前記第１の可動ヒンジは、前記建物の壁面上に固定された第１の位置決め部材と、前記支持杆の一端を固定するための、前記第１の位置決め部材に対して枢転する第１の可動部と、を有し、
前記第２の可動ヒンジは、前記位置決めフレームの前記建物の壁面から離れた一側上に固定された第２の位置決め部材と、前記支持杆の他端を固定するための、前記第２の位置決め部材に対して枢転する第２の可動部と、を有することを特徴とする請求項４に記載の可動式遮蔽延伸装置。
【請求項６】
前記可動部は、前記位置決めフレーム上に設けられた１個又は複数個のリニアレールと、前記リニアレール上に接合された１個又は複数個のスライドブロックと、を有することを特徴とする請求項１に記載の可動式遮蔽延伸装置。
【請求項７】
前記駆動ユニットは、リードスクリューと、前記リードスクリュー上に軸心を設けた可動ブロックと、前記リードスクリューの一側に設けられて前記リードスクリューを枢転させるモータと、を有し、
前記可動ブロックは、前記アームの一側の平面上に結合され、前記リードスクリューが枢転する方向に合わせて作動し、前記第２の遮蔽ユニットを前記第１の遮蔽ユニットに対して往復移動させることを特徴とする請求項６に記載の可動式遮蔽延伸装置。
【請求項８】
前記第１の遮蔽ユニットは、３個の前記位置決めフレームを有し、
隣り合う前記位置決めフレーム間には、前記第１の遮蔽板が設けられることを特徴とする請求項７に記載の可動式遮蔽延伸装置。
【請求項９】
前記駆動ユニットは、中間の前記位置決めフレーム上に設けられる上、前記中間の位置決めフレーム上の前記可動部は、前記リードスクリューの両側にペアで設けられることを特徴とする請求項８に記載の可動式遮蔽延伸装置。
【請求項１０】
前記位置決めフレームの別の前記位置決めフレームに向ける側の側縁には、ステップが形成され、
前記第１の遮蔽板は、２個の前記位置決めフレーム間に設けられるとともに、前記第１の遮蔽板の２個の側縁は前記２個の位置決めフレームのステップに接着することを特徴とする請求項１に記載の可動式遮蔽延伸装置。
【請求項１１】
前記第１の遮蔽板及び前記第２の遮蔽板は、透光性材料又は半透光性材料からなることを特徴とする請求項１に記載の可動式遮蔽延伸装置。
【請求項１２】
前記アームは、前記支持ブラケット平面上に設けたＴ字状ピンを有し、
前記第２の遮蔽板上には、Ｔ字状貫通孔が形成され、
前記Ｔ字状ピンは、前記Ｔ字状貫通孔に挿通され、
前記Ｔ字状ピン上には、穿孔が形成され、
前記穿孔には、締結ユニットが挿通され、
前記締結ユニットの一端は、前記支持ブラケット平面上に形成されたねじ穴に螺着され、前記Ｔ字状ピンが前記支持ブラケット平面上に固定されることを特徴とする請求項１に記載の可動式遮蔽延伸装置。
【請求項１３】
前記第２の遮蔽板の上面には、前記穿孔を覆うストッパが設けられることを特徴とする請求項１２に記載の可動式遮蔽延伸装置。
【請求項１４】
前記位置決めフレームは複数個あり、
前記第１の遮蔽ユニットは、前記位置決めフレームの一端又は両端に結合された横杆を有することを特徴とする請求項１に記載の可動式遮蔽延伸装置。
【請求項１５】
前記アームは複数個あり、
前記第２の遮蔽ユニットは、前記複数個のアームの一端に結合された横杆を有することを特徴とする請求項１に記載の可動式遮蔽延伸装置。
【考案の詳細な説明】
【技術分野】
【０００１】
本考案は、可動式遮蔽延伸装置に関し、特に、建物の壁面に設ける可動式遮蔽延伸装置に関する。
【背景技術】
【０００２】
建物はライフスタイルを体現した物であり、現代建築の建物は、機能以外にデザインの自由度を高めて見た目を良くすることがデザイナーに求められている。現代建築のデザインは、建物に装飾が複雑に施されたり、柱にヨーロッパ宮廷式の彫刻が施されたりして個人の好みや財力などを表現していた初期の建築デザインとは異なり、複雑な構造を簡素化し、簡素化の過程で材料の純粋な原型を表現することが現代建築の基本的含意となっている。
【０００３】
従来の建物の遮蔽物（雨よけ）は、一般に帆布、ローラ軸、カーテンバー、支持杆及びフレームから構成されている。ローラ軸は、フレーム上に枢着され、ローラ軸が枢軸を中心に回転すると帆布が収納されたり展開されたりし、帆布が展開されると、支持杆が壁面及び帆布前端のカーテンバーに当接され、帆布を展開する面積を調整することができる。上述のデザイン以外には、鉄骨フレームにガラス（又はＰＶＣなど）が組み合わされて形成された雨よけがあるが、上述したような遮蔽物は伸縮させることができなかったため、空間の使用が制限された。
【０００４】
上述したような問題点を改善するために、固定遮蔽ユニット、可動遮蔽ユニット、２個の移動ユニット及び駆動ユニットを含む可動式伸縮遮蔽装置が特許文献１で開示されている。固定遮蔽ユニットは、建物の壁面上に設けられる。固定遮蔽ユニットは、固定遮蔽部材及び２個の載置部材を含む。２個の載置部材は、固定遮蔽部材の２個の反対側端部にそれぞれ設けられる。可動遮蔽ユニットは、固定遮蔽ユニット下に設けた可動遮蔽部材と、固定遮蔽ユニットと可動遮蔽ユニットとの間に設けた２個の支持部材と、を含む。２個の移動ユニットは、固定遮蔽ユニットと可動遮蔽ユニットとの間に接続される。２個の移動ユニットは、２個の載置部材上にそれぞれ接続されるとともに、２個の支持部材とそれぞれ接続される。上述した駆動ユニットは、上述した可動遮蔽ユニットを往復移動させる。
【０００５】
特許文献１では、従来の片持ち式雨よけが伸縮できないという問題を解決することができたが、特許文献１は、ガラスにフックを挿通して支え、完全に貫通した穿孔箇所がガラスの他の部分より脆弱であるため、ガラスの重量が加わる穿孔箇所が損壊し易く、ガラスの光透過性に悪影響を与える虞があった。
【先行技術文献】
【特許文献】
【０００６】
【特許文献１】台湾実用新案登録第Ｍ５１３２４０号公報
【考案の概要】
【考案が解決しようとする課題】
【０００７】
本考案の目的は、フックにより遮蔽物を固定すると穿孔箇所が破損してしまう従来技術の問題点を改善する可動式遮蔽延伸装置を提供することにある。
【課題を解決するための手段】
【０００８】
上記課題を解決するために、本考案の第１の形態によれば、第１の遮蔽ユニット、第２の遮蔽ユニット及び駆動ユニットを備えた可動式遮蔽延伸装置であって、前記第１の遮蔽ユニットは、位置決め手段を介して建物の壁面上に固定された１個又は複数個の位置決めフレームと、前記位置決めフレーム上に設けた１個又は複数個の第１の遮蔽板と、を有し、前記第２の遮蔽ユニットは、１個又は複数個のアームと、前記アーム上に設けた１個又は複数個の第２の遮蔽板と、を有し、前記アームは、可動部を介して前記位置決めフレームの一側に結合され、前記アームの上側には、支持ブラケット平面が設けられ、前記第２の遮蔽板は、接着剤により前記支持ブラケット平面上に結合され、前記アームにより前記第２の遮蔽板の底側を支え、前記駆動ユニットは、前記第１の遮蔽ユニット又は前記第２の遮蔽ユニット上に設けられ、前記第１の遮蔽ユニットに対して前記第２の遮蔽ユニットを往復移動させることを特徴とする可動式遮蔽延伸装置が提供される。
【０００９】
前記位置決め手段は、ヒンジユニット及び牽引ユニットを有し、前記ヒンジユニットは、前記建物の壁面と前記位置決めフレームとの間の夾角にそれぞれと結合され、前記牽引ユニットは、斜めに設置されるとともに、前記建物の壁面と、前記位置決めフレームの前記建物の壁面から遠い一側とに両端がそれぞれ結合されることが好ましい。
【００１０】
前記ヒンジユニットは、位置決め部材と、前記位置決め部材に枢着された可動ブロックと、を有し、前記位置決め部材は、前記建物の壁面上に結合され、前記可動ブロックは、前記位置決めフレーム上に結合され、前記建物の壁面に対して前記位置決めフレームを枢転させることが好ましい。
【００１１】
前記牽引ユニットは、支持杆と、前記支持杆の一端に結合されて前記建物の壁面上に固定された第１の可動ヒンジと、前記支持杆の他端に結合されるとともに、前記位置決めフレーム上に固定された第２の可動ヒンジと、を有することが好ましい。
【００１２】
前記第１の可動ヒンジは、前記建物の壁面上に固定された第１の位置決め部材と、前記支持杆の一端を固定するための、前記第１の位置決め部材に対して枢転する第１の可動部と、を有し、前記第２の可動ヒンジは、前記位置決めフレームの前記建物の壁面から離れた一側上に固定された第２の位置決め部材と、前記支持杆の他端を固定するための、前記第２の位置決め部材に対して枢転する第２の可動部と、を有することが好ましい。
【００１３】
前記可動部は、前記位置決めフレーム上に設けられた１個又は複数個のリニアレールと、前記リニアレール上に接合された１個又は複数個のスライドブロックと、を有することが好ましい。
【００１４】
前記駆動ユニットは、リードスクリューと、前記リードスクリュー上に軸心を設けた可動ブロックと、前記リードスクリューの一側に設けられて前記リードスクリューを枢転させるモータと、を有し、前記可動ブロックは、前記アームの一側の平面上に結合され、前記リードスクリューが枢転する方向に合わせて作動し、前記第２の遮蔽ユニットを前記第１の遮蔽ユニットに対して往復移動させることが好ましい。
【００１５】
前記第１の遮蔽ユニットは、３個の前記位置決めフレームを有し、隣り合う前記位置決めフレーム間には、前記第１の遮蔽板が設けられることが好ましい。
【００１６】
前記駆動ユニットは、中間の前記位置決めフレーム上に設けられる上、前記中間の位置決めフレーム上の前記可動部は、前記リードスクリューの両側にペアで設けられることが好ましい。
【００１７】
前記位置決めフレームの別の前記位置決めフレームに向ける側側縁には、ステップが形成され、前記第１の遮蔽板は、２個の前記位置決めフレーム間に設けられるとともに、前記第１の遮蔽板の２個の側縁は前記２個の位置決めフレームのステップに接着することが好ましい。
【００１８】
前記第１の遮蔽板及び前記第２の遮蔽板は、透光性材料又は半透光性材料からなることが好ましい。
【００１９】
前記アームは、前記支持ブラケット平面上に設けたＴ字状ピンを有し、前記第２の遮蔽板上には、Ｔ字状貫通孔が形成され、前記Ｔ字状ピンは、前記Ｔ字状貫通孔に挿通され、前記Ｔ字状ピン上には、穿孔が形成され、前記穿孔には、締結ユニットが挿通され、前記締結ユニットの一端は、前記支持ブラケット平面上に形成されたねじ穴に螺着され、前記Ｔ字状ピンが前記支持ブラケット平面上に固定されることが好ましい。
【００２０】
前記第２の遮蔽板の上面には、前記穿孔を覆うストッパが設けられることが好ましい。
【００２１】
前記位置決めフレームは複数個あり、前記第１の遮蔽ユニットは、前記位置決めフレームの一端又は両端に結合された横杆を有することが好ましい。
【００２２】
前記アームは複数個あり、前記第２の遮蔽ユニットは、前記複数のアームの一端に結合された横杆を有することが好ましい。
【００２３】
第１の遮蔽ユニットは、位置決めフレームの上側に設けられた延伸遮蔽板を有り、延伸遮蔽板の末端は、収納された第２の遮蔽板の末端と揃えられることが好ましい。
【考案の効果】
【００２４】
本考案の可動式遮蔽延伸装置は、従来技術と比べ、以下（１）〜（３）の効果を有する。
（１）従来技術よりも全体構造の剛性及び安定性が高く、ガラス自身の重量が穿孔箇所に加わることを防ぐ。
（２）アームを介して第２の遮蔽板を固定し、第２の遮蔽板の元々の外観を維持するとともに製品の見た目を向上させる。
（３）モータの結合したリードスクリューを駆動し、リニアレールを使用して支持し、第２の遮蔽ユニットの支持力及び構造強度を大幅に高める。
【図面の簡単な説明】
【００２５】
【図１】図１は、本考案の一実施形態に係る可動式遮蔽延伸装置を示す斜視図である。
【図２】図２は、本考案の一実施形態に係る可動式遮蔽延伸装置を示す分解斜視図（１）である。
【図３】図３は、本考案の一実施形態に係る可動式遮蔽延伸装置を示す分解斜視図（２）である。
【図４】図４は、本考案の一実施形態に係る可動式遮蔽延伸装置を示す部分断面図である。
【図５】図５は、本考案の一実施形態に係る可動式遮蔽延伸装置を示す部分拡大図である。
【図６】図６は、本考案の一実施形態に係る可動式遮蔽延伸装置を示す側面図である。
【図７−１】図７−１は、本考案の一実施形態に係る可動式遮蔽延伸装置の動作図（１）である。
【図７−２】図７−２は、本考案の一実施形態に係る可動式遮蔽延伸装置の動作図（２）である。
【考案を実施するための形態】
【００２６】
以下、図面を参照しながら、本考案の好適な実施形態について詳細に説明するが、本考案はこれらの態様に限定されるものではない。なお、説明の便宜上、図面の比率は実際のものとは必ずしも一致しておらず、図面及び図面の比率は本考案を限定するものではない。図１を参照する。図１は、本考案の一実施形態に係る可動式遮蔽延伸装置を示す斜視図である。図１に示すように、本考案の一実施形態に係る可動式遮蔽延伸装置１００は、建物の壁面上に設けられる。可動式遮蔽延伸装置１００を壁面上に固定し、壁面に対向する方向で伸長したり収納したりすると遮断される面積を調整することができる。上述した可動式遮蔽延伸装置は、各種様々な建物の片持ち式雨よけ、壁面の延伸、インスタレーション（Ｉｎｓｔａｌｌａｔｉｏｎ  Ａｒｔ）その他類似するものに応用することができるが、本考案は特にこれらだけに限定されるわけではない。
【００２７】
図２及び図３を参照する。図２は、本考案の一実施形態に係る可動式遮蔽延伸装置を示す分解斜視図（１）である。図３は、本考案の一実施形態に係る可動式遮蔽延伸装置を示す分解斜視図（２）である。図２及び図３に示すように、本考案の一実施形態に係る可動式遮蔽延伸装置１００は、第１の遮蔽ユニット１０と、第２の遮蔽ユニット２０と、第１の遮蔽ユニット１０又は第２の遮蔽ユニット２０上に設けた駆動ユニット３０と、を備える。
【００２８】
上述した第１の遮蔽ユニット１０は、位置決め手段１３を介して建物の壁面上に固定された１個又は複数個の位置決めフレーム１１Ａ，１１Ｂと、位置決めフレーム１１Ａ，１１Ｂ上に設けた１個又は複数個の第１の遮蔽板１２と、を有する。本実施形態の第１の遮蔽ユニット１０は、３個の位置決めフレーム１１Ａ，１１Ｂ，１１Ｂを有し、隣り合う位置決めフレーム１１Ａ，１１Ｂ間には第１の遮蔽板１２が設けられる。位置決めフレーム１１Ａの位置決めフレーム１１Ｂに向ける側の側縁には、ステップ１１１Ａが形成され（位置決めフレーム１１Ｂの位置決めフレーム１１Ａに向ける側の側縁には、ステップ１１１Ｂが形成される）、ステップ１１１Ａ上に接着剤を塗布し、第１の遮蔽板１２の２個の側縁１２１，１２２を、２側の位置決めフレーム１１Ａ，１１Ｂのステップ１１１Ａ，１１１Ｂ上に接着させる。本実施形態の第１の遮蔽ユニット１０は、複数の位置決めフレーム１１Ａ，１１Ｂの両端に結合された複数の横杆１４を有し、横杆１４により位置決めフレーム１１Ａ，１１Ｂを支えて位置決めフレーム１１Ａ，１１Ｂの安定性を高める。上述した横杆１４は、本実施形態では溶接その他の固定方式により位置決めフレーム１１Ａ上に結合されているが、他の実施形態では、位置決めフレーム１１Ａ，１１Ｂと一体成形されてもよく、特に限定されるわけではない。
【００２９】
本実施形態の第１の遮蔽板１２は、強度が高い特性を有する硬質材料である。ここで硬質材料とは、例えば、金属、アクリル、ガラスなどの材料でもよいし、適宜な可撓性又は弾性を有する材料でもよく、本考案では特に限定されるわけではない。他の実施形態において、第１の遮蔽板１２は、太陽光を透過させて好適な採光を得ることができるように、透光性材料又は半透光性材料からなってもよい。
【００３０】
上述した第２の遮蔽ユニット２０は、１個又は複数個のアーム２１Ａ，２１Ｂと、アーム２１Ａ，２１Ｂ上に設けた１個又は複数個の第２の遮蔽板２２と、を有する。アーム２１Ａ，２１Ｂは、可動部４０を介して位置決めフレーム１１Ａ，１１Ｂの一側に結合され、アーム２１Ａ，２１Ｂの上側には、支持ブラケット平面２１１Ａ，２１１Ｂが設けられる。第２の遮蔽板２２は、接着剤により支持ブラケット平面２１１Ａ，２１１Ｂ上に結合され、アーム２１Ａ，２１Ｂにより第２の遮蔽板２２の底側からを第２の遮蔽板２２支え、第２の遮蔽板２２の他側の下方が完全に遮蔽されることがなく、第２の遮蔽板２２の採光量及び見た目を向上させることができる。また、上述した第２の遮蔽板２２は、接着剤によりアーム２１Ａ，２１Ｂ上に固定され、第２の遮蔽板２２の重量がアーム２１Ａ，２１Ｂの支持ブラケット平面２１１Ａ，２１１Ｂ上に加わるため、重量が第２の遮蔽板２２の一点上に作用して損壊することを防ぐ。図４に示すように、他の実施形態において、アーム２１Ａ，２１Ｂは、支持ブラケット平面２１１Ａ，２１１Ｂ上に設けたＴ字状ピン２１２Ａ，２１２Ｂをそれぞれ有する。第２の遮蔽板２２上には、複数個のＴ字状貫通孔２２１が形成される。Ｔ字状ピン２１２Ａ，２１２Ｂは、Ｔ字状貫通孔２２１にそれぞれ挿通される。Ｔ字状ピン２１２Ａ（２１２Ｂ）上には、穿孔２１２１Ａ（穿孔２１２１Ｂ）が形成される。穿孔２１２１Ａ（２１２１Ｂ）上には、締結ユニット２１２２Ａ（２１２２Ｂ）が挿通される。締結ユニット２１２２Ａ（２１２２Ｂ）は、一端が支持ブラケット平面２１１Ａ（２１１Ｂ）上に形成されたねじ穴２１１１Ａ（２１１１Ｂ）に螺着され、それによりＴ字状ピン２１２Ａ（２１２Ｂ）を支持ブラケット平面２１１Ａ（２１１Ｂ）上に固定し、Ｔ字状ピン２１２Ａ（２１２Ｂ）により第２の遮蔽板２２の位置が拘束される。また、当該第２の遮蔽板２２の上面には、前記穿孔を覆うストッパが設けられることが好ましい。ここで締結ユニット２１２２Ａ（２１２２Ｂ）はボルト、ねじなどでもよく、特に限定されるわけではない。本実施形態の第２の遮蔽ユニット２０は、複数個のアーム２１Ａ，２１Ｂの一端に結合された横杆２３を有する。ガラスの透光性を維持するために、上述した横杆２３は、アーム２１Ａ，２１Ｂの建物の壁面に近い側に設けられる。上述した横杆２３は、溶接その他の固定方式によりアーム２１Ａ，２１Ｂ上に結合されるが、他の実施形態では、アーム２１Ａ，２１Ｂと一体成形されてもよく、本考案は特に限定されるわけではない。
【００３１】
本実施形態の第２の遮蔽ユニット２０は、第１の遮蔽ユニット１０の下側に設けられるが、第２の遮蔽ユニット２０は第１の遮蔽ユニット１０の上側に設けられてもよい。本実施形態の第１の遮蔽ユニット１０は、位置決めフレーム１１Ａ，１１Ｂの上側に設けられた延伸遮蔽板１５を有する。延伸遮蔽板１５の末端は、収納された第２の遮蔽板２２の末端と揃えられる。
【００３２】
本実施形態において、上述したアーム２１Ａ，２１Ｂの個数は、位置決めフレーム１１Ａ，１１Ｂの個数に対応し、位置決めフレーム１１Ａ，１１Ｂと下側のアーム２１Ａ，２１Ｂとはペアに形成される。他の実施形態では、単一のアーム又は第２の遮蔽板２２の両側に対称に設けられた２個のアームにより第２の遮蔽板２２を支えてもよいが、本考案はこれだけに限定されるわけではない。本実施形態の第２の遮蔽板２２は、高強度の特性を有する硬質材料からなってもよい。ここで硬質材料とは、例えば、金属、アクリル、ガラスなど可撓性が無い材料でもよい。他の実施形態では、第２の遮蔽板２２は、太陽光を透過させて好適な採光を得ることができるように、透光性材料又は半透光性材料からなってもよい。
【００３３】
上述した駆動ユニット３０は、第１の遮蔽ユニット１０に対して第２の遮蔽ユニット２０を往復移動させる。上述した駆動ユニット３０は、位置決めフレーム１１Ａ上に設けられ、第２の遮蔽ユニット２０を壁面から離れる方向へ移動すると、第１の遮蔽ユニット１０及び第２の遮蔽ユニット２０により遮蔽される面積が増える。他の実施形態において、上述した駆動ユニット３０は、アーム２１Ａ上に設けられ、第１の遮蔽ユニット１０を押動する力の反作用力により第２の遮蔽ユニット２０が壁面から離れる方向へ移動されるが、本考案は特にこれだけに限定されるわけではない。例えば、第１の遮蔽板１２が移動するときの安定性を高めるために、上述した駆動ユニット３０を中間の位置決めフレーム１１Ａ上に設けて両側の対称性を向上させ、距離により発生するモーメント力を減らしてもよい。
【００３４】
以下、本考案の可動部４０及び駆動ユニット３０の構造について、図面に基づいて詳細に説明する。上述した可動部４０及び駆動ユニット３０は、本考案の一実施形態であり、本考案はこの実施形態のみに限定されるわけではないことをここで予め述べておく。図５を参照する。図５は、本考案の一実施形態に係る可動式遮蔽延伸装置を示す部分拡大図である。
【００３５】
図５に示すように、上述した可動部４０は、位置決めフレーム１１Ａ，１１Ｂ上に設けられた１個又は複数個のリニアレール４１と、リニアレール４１上に接合された１個又は複数個のスライドブロック４２と、を有する。上述した駆動ユニット３０は、リードスクリュー３１と、リードスクリュー３１上に軸心に沿って設けた可動ブロック３２と、リードスクリュー３１の一側に設けられて枢軸を中心にリードスクリュー３１を回転させるモータ３３と、を有する。可動ブロック３２は、アーム２１Ａの一側の平面上に結合され、リードスクリュー３１が回転する方向に作動し、第２の遮蔽ユニット２０が第１の遮蔽ユニット１０に対して往復移動する。詳細には、上述したスライドブロック４２上には、位置決め溝（図示せず）が形成される。この位置決め溝は、リニアレール４１外周の形状に対応するように切削成形される。スライドブロック４２は、リニアレール４１上に位置拘束され、リニアレール４１が延伸する方向で往復移動する。
【００３６】
本実施形態では対称性の問題に鑑み、駆動ユニット３０が中間の位置決めフレーム１１Ａ上に設けられる上、中間の位置決めフレーム１１Ａ上の可動部４０がリードスクリュー３１の両側にペアを形成して設けられているため、第２の遮蔽ユニット２０が移動するときの安定性が高まり、スライドブロック４２によりリニアレール４１の片側が摩損されることを防ぐことができる。両側の位置決めフレーム１１Ｂ上には、リニアレール４１と、リニアレール４１上に結合された１個又は複数個のスライドブロック４２と、がそれぞれ設けられる。上述したリニアレール４１及びスライドブロック４２の個数は、本考案では特に限定されない。
【００３７】
以下、本考案の位置決め手段１３の構造について、図面に基づいて詳細に説明する。上述した位置決め手段１３は、本考案の一実施形態であり、本考案はこの実施形態のみに限定されるわけではないことをここで予め述べておく。図６を参照する。図６は、本考案の一実施形態に係る可動式遮蔽延伸装置を示す側面図である。
【００３８】
図６に示すように、上述した位置決め手段１３は、ヒンジユニット１３１及び牽引ユニット１３２を有する。ヒンジユニット１３１は、建物の壁面と位置決めフレーム１１Ａ，１１Ｂとの間の夾角にそれぞれと結合される。牽引ユニット１３２は、斜めに設置されるとともに、建物の壁面と、位置決めフレーム１１Ａ，１１Ｂの建物の壁面から遠い一側とに両端がそれぞれ結合され、ヒンジユニット１３１及び牽引ユニット１３２により三角状に位置決めされるため、位置決めフレーム１１Ａ，１１Ｂの安定度を高めて位置決めフレーム１１Ａ，１１Ｂと建物の壁面結合面とに発生する重量によるモーメント力を減らすことができる。上述した位置決めフレーム１１Ａ，１１Ｂは、ヒンジユニット１３１及び牽引ユニット１３２を介して第１の遮蔽板１２及び第２の遮蔽板２２の角度を調整し、第１の遮蔽板１２及び第２の遮蔽板２２の閉塞率を修正し、第１の遮蔽板１２及び第２の遮蔽板２２に与える風圧の影響を減らすことができる。
【００３９】
上述したヒンジユニット１３１は、位置決め部材１３１１と、位置決め部材１３１１に枢着された可動ブロック１３１２と、を有する。位置決め部材１３１１は、建物の壁面上に結合される。可動ブロック１３１２は、位置決めフレーム１１Ａ（１１Ｂ）上に結合され、建物の壁面に対して位置決めフレーム１１Ａ（１１Ｂ）を枢転させる。位置決め部材１３１１及び可動ブロック１３１２は、ボルト締め方式により位置決めフレーム１１Ａ（１１Ｂ）及び建物の壁面上にそれぞれ固定されるが、本考案はこれだけに限定されるわけではない。
【００４０】
上述した牽引ユニット１３２は、支持杆１３２１と、支持杆１３２１の一端に結合されて建物の壁面上に固定された第１の可動ヒンジ１３２２と、支持杆１３２１の他端に結合されるとともに、位置決めフレーム１１Ａ，１１Ｂ上に固定された第２の可動ヒンジ１３２３と、を有する。第１の可動ヒンジ１３２２は、建物の壁面上に固定された第１の位置決め部材１３２２Ａと、支持杆１３２１の一端を固定して第１の位置決め部材１３２２Ａに対して枢転する第１の可動部１３２２Ｂと、を有する。第２の可動ヒンジ１３２３は、位置決めフレーム１１Ａ，１１Ｂの建物の壁面から離れた一側上に固定された第２の位置決め部材１３２３Ａと、支持杆１３２１の他端を固定して第２の位置決め部材１３２３Ａに対して枢転する第２の可動部１３２３Ｂと、を有する。そのため、支持杆１３２１は、位置決めフレーム１１Ａ，１１Ｂの末端に結合され、位置決めフレーム１１Ａ，１１Ｂへ上向きの支持力を提供する。
【００４１】
上述した方式以外に、本考案の位置決め手段１３は、Ｌ字状フレーム、複数個のヒンジ、吊り下げフレームその他壁面に固定する方式を利用し、本考案の延伸装置を壁面上に固定してもよい。本考案の位置決め手段１３の方式は本実施形態のみに限定されるわけではない。
【００４２】
続いて、図７−１及び図７−２を参照する。図７−１は、本考案の一実施形態に係る可動式遮蔽延伸装置の動作図（１）である。図７−２は、本考案の一実施形態に係る可動式遮蔽延伸装置の動作図（２）である。
【００４３】
まず、図７−１に示すように、収納状態のときに、可動ブロック３２は、リードスクリュー３１上の建物の壁面近くの第１の位置に位置する。このとき第２の遮蔽ユニット２０は、第１の遮蔽ユニット１０の下方に収納される。
【００４４】
図７−２に示すように、「開ける」指令をモータ３３が受けとると、モータ３３によりリードスクリュー３１を一方の方向で回転させ、リードスクリュー３１上に設けた可動ブロック３２を前方へ移動させ、リードスクリュー３１上の第２の位置へ移動させる。移動させる際、可動ブロック３２下方に結合したアーム２１Ａが可動ブロック３２に従って建物の壁面から離れる方向へ移動し、第２の遮蔽板２２を前方へ移動させて伸長させ、第１の遮蔽板１２及び第２の遮蔽板２２の遮蔽面積の総和を増やす。
【００４５】
また、「閉じる」指令をモータ３３が受けとると、モータ３３によりリードスクリュー３１を他方の方向へ回転させ、リードスクリュー３１上に設けた可動ブロック３２を後方へ移動させて初期の第１の位置へ戻し、第１の遮蔽ユニット１０の下方へ第２の遮蔽ユニット２０を再び収納する。
【００４６】
上述したことから分かるように、本考案の可動式遮蔽延伸装置は、従来技術と比べ、以下（１）〜（３）の長所を有する。
（１）従来技術よりも全体構造の剛性及び安定性が高く、ガラスの重量がガラスとの間の接触面に加わることを防ぐことができる。
（２）アームを介して第２の遮蔽板を固定し、第２の遮蔽板の元々の外観を維持するとともに製品の見た目を向上させることができる。
（３）モータに結合したリードスクリューを駆動し、リニアレールを使用して支持するため、第２の遮蔽ユニットの支持力及び構造強度を大幅に高めることができる。
【符号の説明】
【００４７】
１０  第１の遮蔽ユニット
１１Ａ  位置決めフレーム
１１Ｂ  位置決めフレーム
１２  第１の遮蔽板
１３  位置決め手段
１４  横杆
１５  延伸遮蔽板
２０  第２の遮蔽ユニット
２１Ａ  アーム
２１Ｂ  アーム
２２  第２の遮蔽板
２３  横杆
３０  駆動ユニット
３１  リードスクリュー
３２  可動ブロック
３３  モータ
４０  可動部
４１  リニアレール
４２  スライドブロック
１００  可動式遮蔽延伸装置
１１１Ａ  ステップ
１１１Ｂ  ステップ
１２１  側縁
１２２  側縁
１３１  ヒンジユニット
１３２  牽引ユニット
２１１Ａ  支持ブラケット平面
２１１Ｂ  支持ブラケット平面
２１２Ａ  Ｔ字状ピン
２１２Ｂ  Ｔ字状ピン
２２１  Ｔ字状貫通孔
２２２  ストッパ
１３１１  位置決め部材
１３１２  可動ブロック
１３２１  支持杆
１３２２  第１の可動ヒンジ
１３２２Ａ  第１の位置決め部材
１３２２Ｂ  第１の可動部
１３２３  第２の可動ヒンジ
１３２３Ａ  第２の位置決め部材
１３２３Ｂ  第２の可動部
２１１１Ａ  ねじ穴
２１１１Ｂ  ねじ穴
２１２１Ａ  穿孔
２１２１Ｂ  穿孔
２１２２Ａ  締結ユニット
２１２２Ｂ  締結ユニット
【図１】
0003209941.tif 000003
【図２】
0003209941.tif 000004
【図３】
0003209941.tif 000005
【図４】
0003209941.tif 000006
【図５】
0003209941.tif 000007
【図６】
0003209941.tif 000008
【図７−１】
0003209941.tif 000009
【図７−２】
0003209941.tif 000010